(57)【要約】【課題】対象物に搭載されるアンテナであって安定したアンテナ特性が得られるアンテナを提供する。【解決手段】アンテナ１００は、主部２００と、対向部３００と、第１給電端子４００と、第２給電端子５００と、少なくとも一つの補強端子６００とを有している。主部２００は、切れ目２１６を有するスプリット線部２１０を含む環状の形状を有している。スプリット線部２１０は、所定方向に延びている。対向部３００は、第１対向部３２０と、第２対向部３４０とを有している。第１給電端子４００及び第２給電端子５００は、主部２００に設けられ、アンテナ１００が対象物に搭載される際に対象物に固定される部位である。補強端子６００は、スプリット線部２１０から離れて位置している。補強端子６００は、対向部３００から延びており、アンテナ１００が対象物に搭載される際に対象物に固定される部位である。【選択図】図３
2020145542.tif 000002
【特許請求の範囲】
【請求項１】
対象物に搭載されるアンテナであって、
前記アンテナは、主部と、対向部と、第１給電端子と、第２給電端子と、少なくとも一つの補強端子とを有しており、
前記主部は、切れ目を有するスプリット線部を含む環状の形状を有しており、
前記スプリット線部は、所定方向に延びており、
前記スプリット線部は、前記所定方向において互いに離れて位置して前記切れ目を形成する第１端部と第２端部とを有しており、
前記対向部は、前記第１端部に設けられた第１対向部と、前記第２端部に設けられた第２対向部とを有しており、
前記第１対向部と、前記第２対向部とは、互いに離れて対向しており、
前記第１給電端子及び前記第２給電端子は、前記主部に設けられ、前記アンテナが前記対象物に搭載される際に前記対象物に固定される部位であり、
前記少なくとも一つの補強端子は、前記スプリット線部から離れて位置しており、
前記少なくとも一つの補強端子は、前記対向部から延びており、前記アンテナが前記対象物に搭載される際に前記対象物に固定される部位である
アンテナ。
【請求項２】
請求項１記載のアンテナであって、
前記第１対向部は、前記第１端部から延びて前記主部の内側に位置しており、
前記第２対向部は、前記第２端部から延びて前記主部の内側に位置している
アンテナ。
【請求項３】
請求項１又は請求項２記載のアンテナであって、
前記少なくとも一つの補強端子は、前記第１対向部から延びる第１補強端子と、前記第２対向部から延びる第２補強端子とを含んでいる
アンテナ。
【請求項４】
請求項１から請求項３までのいずれかに記載のアンテナであって、
前記主部は、四辺を有する略矩形の環状であり、
前記スプリット線部は、前記四辺のうちの特定の一辺に設けられている。
アンテナ。
【請求項５】
請求項１から請求項３までのいずれかに記載のアンテナであって、
前記アンテナは、付加的端子を更に備えており、
前記付加的端子は、前記主部に設けられ、前記アンテナが前記対象物に搭載される際に前記対象物に固定される部位であり、
前記付加的端子は、前記主部上において、前記第２給電端子よりも前記第２端部に近い位置に位置しており、
前記第１給電端子は、前記主部上において、前記第２給電端子よりも前記第１端部に近い位置に位置している
アンテナ。
【請求項６】
請求項５記載のアンテナであって、
前記付加的端子と前記第２対向部との間の最短距離は、前記付加的端子と前記第２給電端子との間の最短距離より短い
アンテナ。
【請求項７】
請求項５又は請求項６記載のアンテナであって、
前記第１給電端子は、前記第１端部及び前記第１対向部から離れた位置に設けられており、
前記付加的端子は、前記第２端部及び前記第２対向部から離れた位置に設けられている
アンテナ。
【請求項８】
請求項７記載のアンテナであって、
前記第１給電端子及び前記付加的端子の夫々は、前記主部からその内側へ向かう内側方向であって前記所定方向と交差する内側方向へ延びる第１部と、前記第１部の端部から前記内側方向及び前記所定方向の双方と交差する交差方向へ延びる第２部とを有しており、
前記第２部は、前記アンテナが前記対象物に搭載される際に前記対象物に固定される
アンテナ。
【請求項９】
請求項５から請求項８までのいずれかに記載のアンテナであって、
前記主部は、四辺を有する略矩形の環状であり、
前記スプリット線部は、前記四辺のうちの特定の一辺に設けられている
アンテナ。
【請求項１０】
請求項９記載のアンテナであって、
前記付加的端子は、前記特定の一辺から延びている
アンテナ。
【請求項１１】
請求項１から請求項１０までのいずれかに記載のアンテナであって、
前記第１対向部と前記第２対向部の夫々は、櫛歯形状を有しており、
前記第１対向部と前記第２対向部との間には、インターディジタルスロットが形成されている
アンテナ。
【請求項１２】
請求項１から請求項１１までのいずれかに記載のアンテナであって、
複数の曲げ部を有する一枚の金属板からなる
アンテナ。
【発明の詳細な説明】
【技術分野】
【０００１】
本発明は、対象物に搭載されるアンテナに関する。
【背景技術】
【０００２】
特許文献１は、この種のアンテナ９００を開示している。図１５及び図１６から理解されるように、特許文献１のアンテナ９００は、プリント基板（対象物）９１０上に印刷形成されている。
【先行技術文献】
【特許文献】
【０００３】
【特許文献１】特開２０１６−２２５９５６号公報
【発明の概要】
【発明が解決しようとする課題】
【０００４】
特許文献１のアンテナ９００においては、プリント基板９１０の製造ばらつきによりアンテナ特性に差異が生じる可能性がある。
【０００５】
そこで、本発明は、対象物に搭載されるアンテナであって、安定したアンテナ特性が得られるアンテナを提供することを目的とする。
【課題を解決するための手段】
【０００６】
アンテナを対象物とは別個のディスクリート部品とする場合、このアンテナは、給電端子が設けられる主部と、主部に保持され且つキャパシタンス成分を構成する対向部とから構成される。
【０００７】
このようなディスクリート部品としたアンテナにおいて、ある程度のキャパシタンス成分を確保しようとすると、対向部が主部から突出することとなる。しかしながら、このようなアンテナを対象物に搭載した状態で作業者等により対向部に外力が加えられた場合、対向部が変形してアンテナのキャパシタ容量が変動する虞がある。
【０００８】
本出願人は、ディスクリート部品としたアンテナにおいて、対向部に補強端子を設けることにより、アンテナを対象物に搭載した状態で対向部に外力が加えられても対向部の変形を抑制できることを見出し、本発明を完成するに至った。
【０００９】
即ち、本発明は、第１のアンテナとして、
対象物に搭載されるアンテナであって、
前記アンテナは、主部と、対向部と、第１給電端子と、第２給電端子と、少なくとも一つの補強端子とを有しており、
前記主部は、切れ目を有するスプリット線部を含む環状の形状を有しており、
前記スプリット線部は、所定方向に延びており、
前記スプリット線部は、前記所定方向において互いに離れて位置して前記切れ目を形成する第１端部と第２端部とを有しており、
前記対向部は、前記第１端部に設けられた第１対向部と、前記第２端部に設けられた第２対向部とを有しており、
前記第１対向部と、前記第２対向部とは、互いに離れて対向しており、
前記第１給電端子及び前記第２給電端子は、前記主部に設けられ、前記アンテナが前記対象物に搭載される際に前記対象物に固定される部位であり、
前記少なくとも一つの補強端子は、前記スプリット線部から離れて位置しており、
前記少なくとも一つの補強端子は、前記対向部から延びており、前記アンテナが前記対象物に搭載される際に前記対象物に固定される部位である
アンテナを提供する。
【００１０】
また、本発明は、第２のアンテナとして、第１のアンテナであって、
前記第１対向部は、前記第１端部から延びて前記主部の内側に位置しており、
前記第２対向部は、前記第２端部から延びて前記主部の内側に位置している
アンテナを提供する。
【００１１】
また、本発明は、第３のアンテナとして、第１又は第２のアンテナであって、
前記少なくとも一つの補強端子は、前記第１対向部から延びる第１補強端子と、前記第２対向部から延びる第２補強端子とを含んでいる
アンテナを提供する。
【００１２】
また、本発明は、第４のアンテナとして、第１から第３までのいずれかのアンテナであって、
前記主部は、四辺を有する略矩形の環状であり、
前記スプリット線部は、前記四辺のうちの特定の一辺に設けられている。
アンテナを提供する。
【００１３】
また、本発明は、第５のアンテナとして、第１から第３までのいずれかのアンテナであって、
前記アンテナは、付加的端子を更に備えており、
前記付加的端子は、前記主部に設けられ、前記アンテナが前記対象物に搭載される際に前記対象物に固定される部位であり、
前記付加的端子は、前記主部上において、前記第２給電端子よりも前記第２端部に近い位置に位置しており、
前記第１給電端子は、前記主部上において、前記第２給電端子よりも前記第１端部に近い位置に位置している
アンテナを提供する。
【００１４】
また、本発明は、第６のアンテナとして、第５のアンテナであって、
前記付加的端子と前記第２対向部との間の最短距離は、前記付加的端子と前記第２給電端子との間の最短距離より短い
アンテナを提供する。
【００１５】
また、本発明は、第７のアンテナとして、第５又は第６のアンテナであって、
前記第１給電端子は、前記第１端部及び前記第１対向部から離れた位置に設けられており、
前記付加的端子は、前記第２端部及び前記第２対向部から離れた位置に設けられている
アンテナを提供する。
【００１６】
また、本発明は、第８のアンテナとして、第７のアンテナであって、
前記第１給電端子及び前記付加的端子の夫々は、前記主部からその内側へ向かう内側方向であって前記所定方向と交差する内側方向へ延びる第１部と、前記第１部の端部から前記内側方向及び前記所定方向の双方と交差する交差方向へ延びる第２部とを有しており、
前記第２部は、前記アンテナが前記対象物に搭載される際に前記対象物に固定される
アンテナを提供する。
【００１７】
また、本発明は、第９のアンテナとして、第５から第８までのいずれかのアンテナであって、
前記主部は、四辺を有する略矩形の環状であり、
前記スプリット線部は、前記四辺のうちの特定の一辺に設けられている
アンテナを提供する。
【００１８】
また、本発明は、第１０のアンテナとして、第９のアンテナであって、
前記付加的端子は、前記特定の一辺から延びている
アンテナを提供する。
【００１９】
また、本発明は、第１１のアンテナとして、第１から第１０までのいずれかのアンテナであって、
前記第１対向部と前記第２対向部の夫々は、櫛歯形状を有しており、
前記第１対向部と前記第２対向部との間には、インターディジタルスロットが形成されている
アンテナを提供する。
【００２０】
また、本発明は、第１２のアンテナとして、第１から第１１までのいずれかアンテナであって、
複数の曲げ部を有する一枚の金属板からなる
アンテナを提供する。
【発明の効果】
【００２１】
本発明のアンテナには、対向部から延び、且つ、アンテナが対象物に搭載される際に対象物に固定される部位である、補強端子が設けられている。また、この補強端子は、主部のスプリット線部から離れて位置している。これにより、アンテナを対象物に搭載した状態で対向部に外力が加えられた場合においても、対向部の変形を抑制できるため、安定したアンテナ特性が得られる。
【図面の簡単な説明】
【００２２】
【図１】本発明の第１の実施の形態によるアンテナを示す斜視図である。
【図２】図１のアンテナを示す上面図である。
【図３】図１のアンテナを示す別の斜視図である。
【図４】図１のアンテナを示す下面図である。
【図５】図１のアンテナを示す正面図である。図において、対象物を点線で示している。
【図６】図１のアンテナを示す側面図である。図において、対象物を点線で示している。
【図７】図１のアンテナを示す背面図である。図において、対象物を点線で示している。
【図８】本発明の第２の実施の形態によるアンテナを示す斜視図である。
【図９】図８のアンテナを示す上面図である。
【図１０】図８のアンテナを示す別の斜視図である。
【図１１】図８のアンテナを示す下面図である。
【図１２】図８のアンテナを示す正面図である。図において、対象物を点線で示している。
【図１３】図８のアンテナを示す側面図である。図において、対象物を点線で示している。
【図１４】図８のアンテナを示す背面図である。図において、対象物を点線で示している。
【図１５】特許文献１のアンテナを示す下面図である。図において、アンテナの導体パターンを点線で示している。
【図１６】図１５のアンテナを示す断面図である。
【発明を実施するための形態】
【００２３】
（第１の実施の形態）
図５に示されるように、本発明の第１の実施の形態によるアンテナ１００は、対象物８００に搭載されるものである。本実施の形態の対象物８００は、例えば、プリント回路基板である。対象物は、アンテナ搭載面（図示せず）を有し、アンテナ搭載面には、複数の接続パッド（図示せず）が形成されている。また、対象物は、給電線（図示せず）と、グランドプレーン（図示せず）とを備えている。
【００２４】
図３及び図４を参照して、本実施の形態のアンテナ１００は、複数の曲げ部２２２，４２２，５０２，６１６，６２６，７２２を有する一枚の金属板からなる、スプリットリング共振器構造を有している。即ち、アンテナ１００は、単一の金属板に対して打ち抜き加工及び曲げ加工を行って形成される一体物である。より詳しくは、本実施の形態のアンテナ１００は、主部２００と、対向部３００と、第１給電端子４００と、３つの第２給電端子５００と、２つの補強端子６００とを有している。なお本発明はこれに限定されず、第２給電端子５００は少なくとも一つあればよい。また、補強端子６００は少なくとも一つあればよい。
【００２５】
図２を参照して、本実施の形態の主部２００は、アンテナ１００のインダクタンス成分を構成する。主部２００は、四辺２０２，２０４，２０６，２０８を有する略矩形の環状を有している。ここで、「環状」は、円環形のみならず、楕円環形や多角環形をも含む。辺２０２，２０４は、主部２００の前後方向における両端を規定している。より詳しくは、辺２０２は、主部２００の前端を規定しており、辺２０４は、主部２００の後端を規定している。本実施の形態において、前後方向はＸ方向である。また、前方は−Ｘ方向であり、後方は＋Ｘ方向である。辺２０６，２０８は、主部２００の左右方向における両端を規定している。より詳しくは、辺２０６は、主部２００の左端を規定しており、辺２０８は、主部２００の右端を規定している。本実施の形態において、左右方向はＹ方向である。また、右方は＋Ｙ方向であり、左方は−Ｙ方向である。図４から図７までを参照して、アンテナ１００が対象物８００に搭載された際、主部２００の四辺２０２，２０４，２０６，２０８のうち、三辺２０４，２０６，２０８の外縁は対象物８００に固定されるが、辺２０２の外縁（前縁）は対象物８００に固定されない。
【００２６】
図４に示されるように、本実施の形態の主部２００には、複数の被固定部２２０が設けられている。被固定部２２０は、対向部３００に関して対称に配置されている。より詳しくは、主部２００には３つの被固定部２２０が設けられており、これらの被固定部２２０は、前後方向と平行であって左右方向における対向部３００の中心を通る仮想線Ｌに対して対称となるように配置されている。なお、本発明はこれに限定されない。被固定部２２０は、対向部３００に関して非対称に配置されていてもよい。しかしながら、複数の被固定部２２０を対称に設けた場合、アンテナ１００に予期せぬ外力が加わったとき、その外力を適切に分散させて、アンテナ１００の変形を防止又は抑制することができるため、好ましい。図１及び図３に示されるように、被固定部２２０は、アンテナ１００の下端でもある。本実施の形態において、上下方向はＺ方向である。また、上方は＋Ｚ方向であり、下方は−Ｚ方向である。
【００２７】
図２に示されるように、本実施の形態の主部２００には、切れ目２１６を有するスプリット線部２１０が設けられている。より詳しくは、スプリット線部２１０は、主部２００の四辺２０２，２０４，２０６，２０８のうちの特定の一辺２０２に設けられている。即ち、主部２００は、切れ目２１６の有するスプリット線部２１０を含む環状の形状を有している。
【００２８】
図２に示されるように、本実施の形態のスプリット線部２１０は、前後方向においてアンテナ１００の前端に位置している。スプリット線部２１０は、所定方向に延びている。スプリット線部２１０は、所定方向において互いに離れて位置して切れ目２１６を形成する第１端部２１２と第２端部２１４とを有している。本実施の形態において、所定方向はＹ方向である。即ち、本実施の形態において、所定方向は左右方向でもある。なお、本発明はこれに限定されず、所定方向は円弧方向であってもよい。
【００２９】
図２に示されるように、本実施の形態の第１端部２１２及び第２端部２１４は、所定方向において切れ目２１６を挟んで対向している。第１端部２１２及び第２端部２１４の夫々は、仮想線Ｌ付近に位置している。第１端部２１２は、左右方向において第２端部２１４の左側に位置している。
【００３０】
図２に示されるように、本実施の形態の切れ目２１６は、前後方向に延びるスリットである。切れ目２１６は、所定方向において、仮想線Ｌと同じ位置に位置している。
【００３１】
図２を参照して、本実施の形態の対向部３００は、アンテナ１００のキャパシタンス成分を構成する。上述のように、主部２００がアンテナ１００のインダクタンス成分を構成することから、対向部３００と主部２００とはＬＣ共振回路を構成する。対向部３００の後端は、主部２００と連結されていない。対向部３００は、前後方向において主部２００の辺２０２と辺２０４との間に位置している。対向部３００は、左右方向において主部２００の辺２０６と辺２０８との間に位置している。対向部３００は、第１端部２１２に設けられた第１対向部３２０と、第２端部２１４に設けられた第２対向部３４０とを有している。
【００３２】
図２に示されるように、本実施の形態の第１対向部３２０と、第２対向部３４０とは、互いに離れて対向している。より詳しくは、第１対向部３２０と、第２対向部３４０とは、左右方向において互いに離れて対向している。第１対向部３２０と第２対向部３４０との間には、インターディジタルスロット３６０が形成されている。
【００３３】
図２に示されるように、本実施の形態の第１対向部３２０は、櫛歯形状を有している。第１対向部３２０は、第１端部２１２から延びて主部２００の内側に位置している。より詳しくは、第１対向部３２０は、第１端部２１２から前後方向における後方に延びて主部２００の内側に位置している。第１対向部３２０の後端は、主部２００と連結されていない。第１対向部３２０は、左右方向において第２対向部３４０の左側に位置している。
【００３４】
図２に示されるように、本実施の形態の第２対向部３４０は、櫛歯形状を有している。第２対向部３４０は、第２端部２１４から延びて主部２００の内側に位置している。より詳しくは、第２対向部３４０は、第２端部２１４から前後方向における後方に延びて主部２００の内側に位置している。第２対向部３４０の後端は、主部２００と連結されていない。第２対向部３４０は、左右方向において第１対向部３２０の右側に位置している。
【００３５】
図５に示されるように、本実施の形態の第１給電端子４００は、アンテナ１００が対象物８００に搭載される際に対象物８００に固定される部位である。より詳しくは、第１給電端子４００は、アンテナ１００が対象物８００に搭載される際に、対象物８００の接続パッド（図示せず）を介して給電線（図示せず）に電気的に接続される。
【００３６】
図２に示されるように、第１給電端子４００は、主部２００に設けられている。より詳しくは、第１給電端子４００は、主部２００の四辺２０２，２０４，２０６，２０８のうち、スプリット線部２１０が設けられている特定の一辺２０２に設けられている。即ち、第１給電端子４００は、主部２００の四辺２０２，２０４，２０６，２０８のうちの特定の一辺２０２から延びている。
【００３７】
図４に示されるように、第１給電端子４００は、主部２００上において、第２給電端子５００と第１端部２１２との間に位置している。第１給電端子４００は、主部２００上において、第２給電端子５００よりも第１端部２１２に近い位置に位置している。即ち、第１給電端子４００と第１端部２１２との間の電流経路が、第１給電端子４００と第２給電端子５００の夫々との間の電流経路よりも短くなるように、第１給電端子４００は主部２００に設けられている。第１給電端子４００は、第１端部２１２及び第１対向部３２０から離れた位置に設けられている。より詳しくは、第１給電端子４００は、左右方向において、第１端部２１２及び第１対向部３２０から左側に離れた位置に設けられている。
【００３８】
図４に示されるように、第１給電端子４００と第１対向部３２０との間の最短距離Ｄ１は、第１給電端子４００と第２給電端子５００との間の最短距離Ｄ２より短くなっている。
【００３９】
図２及び図３に示されるように、本実施の形態の第１給電端子４００は、第１部４１０と、第２部４２０とを有している。
【００４０】
図２及び図３に示されるように、本実施の形態の第１部４１０は、主部２００からその内側へ向かう内側方向であって所定方向と交差する内側方向へ延びている。本実施の形態において、内側方向は＋Ｘ方向である。即ち、第１部４１０は、主部２００から前後方向において後方に延びている。第１部４１０の端部４１２は、第１部４１０の後端である。
【００４１】
図５に示されるように、本実施の形態の第２部４２０は、アンテナ１００が対象物８００に搭載される際に対象物８００に固定される部位である。図３に示されるように、第２部４２０は、第１部４１０の端部４１２から内側方向及び所定方向の双方と交差する交差方向へ延びている。本実施の形態において、交差方向はＺ方向である。即ち、本実施の形態において、交差方向は上下方向でもある。なお本発明はこれに限定されず、交差方向は、内側方向及び所定方向の双方と交差していればよい。第２部４２０は、上下方向において下方に延びている。第２部４２０は、上下方向における上端に第１給電端子曲げ部（曲げ部）４２２を有している。図４に示されるように、第２部４２０の第１給電端子曲げ部４２２は、前後方向において第１部４１０の端部４１２と連結されている。
【００４２】
図７に示されるように、本実施の形態の第２給電端子５００は、アンテナ１００が対象物８００に搭載される際に対象物８００に固定される部位である。より詳しくは、第２給電端子５００は、アンテナ１００が対象物８００に搭載される際に、被固定部２２０及び対象物８００の接続パッド（図示せず）を介してグランドパターン（図示せず）に電気的に接続される。
【００４３】
図３及び図４に示されるように、本実施の形態の第２給電端子５００は、主部２００に設けられている。より詳しくは、第２給電端子５００は、主部２００の四辺２０２，２０４，２０６，２０８のうち、辺２０４，２０６，２０８に夫々設けられている。第２給電端子５００の夫々は、主部２００から上下方向における下方に延びている。第２給電端子５００は、上下方向における上端に曲げ部２２２，５０２を有している。第２給電端子５００の曲げ部５０２は、主部２００の一辺２０４と連結されている。第２給電端子５００の曲げ部２２２は、主部２００の一辺２０６，２０８と連結されている。
【００４４】
図６に示されるように、本実施の形態の補強端子６００は、アンテナ１００が対象物８００に搭載される際に対象物８００に固定される部位である。図３に示されるように、補強端子６００は、対向部３００から延びている。
【００４５】
図４に示されるように、補強端子６００は、スプリット線部２１０から離れて位置している。より詳しくは、補強端子６００は、前後方向において、スプリット線部２１０から離れて後方に位置している。補強端子６００は、第１端部２１２及び第２端部２１４の夫々から、離れて位置している。より詳しくは、補強端子６００は、前後方向において、第１端部２１２及び第２端部２１４の夫々から、離れて後方に位置している。補強端子６００は、第１給電端子４００から離れて位置している。より詳しくは、補強端子６００は、前後方向において、第１給電端子４００から離れて後方に位置している。
【００４６】
図４に示されるように、補強端子６００は、前後方向において、スプリット線部２１０よりも対向部３００の後端に近い位置に位置している。補強端子６００は、前後方向において、第１端部２１２及び第２端部２１４のいずれよりも対向部３００の後端に近い位置に位置している。補強端子６００は、前後方向において、第１給電端子４００よりも対向部３００の後端に近い位置に位置している。即ち、補強端子６００は、対向部３００の後端付近に位置している。
【００４７】
図４に示されるように、補強端子６００は、前後方向において、スプリット線部２１０よりも主部２００の辺２０４に近い位置に位置している。補強端子６００は、前後方向において、第１端部２１２及び第２端部２１４のいずれよりも主部２００の辺２０４に近い位置に位置している。補強端子６００は、前後方向において、第１給電端子４００よりも主部２００の辺２０４に近い位置に位置している。
【００４８】
図３に示されるように、本実施の形態の補強端子６００は、第１補強端子６１０と、第２補強端子６２０とを含んでいる。
【００４９】
図３に示されるように、本実施の形態の第１補強端子６１０は、第１対向部３２０から延びている。より詳しくは、第１補強端子６１０は、第１対向部３２０から左側に延びた後、屈曲して下側に延びている。第１補強端子６１０は、左右方向において第２補強端子６２０の左側に位置している。
【００５０】
図４に示されるように、第１補強端子６１０は、スプリット線部２１０から離れて位置している。より詳しくは、第１補強端子６１０は、前後方向において、スプリット線部２１０から離れて後方に位置している。第１補強端子６１０は、第１端部２１２から離れて位置している。より詳しくは、第１補強端子６１０は、前後方向において、第１端部２１２から離れて後方に位置している。第１補強端子６１０は、第１給電端子４００から離れて位置している。より詳しくは、第１補強端子６１０は、前後方向において、第１給電端子４００から離れて後方に位置している。
【００５１】
図４に示されるように、第１補強端子６１０は、前後方向において、スプリット線部２１０よりも第１対向部３２０の後端に近い位置に位置している。第１補強端子６１０は、前後方向において、第１端部２１２よりも第１対向部３２０の後端に近い位置に位置している。第１補強端子６１０は、前後方向において、第１給電端子４００よりも第１対向部３２０の後端に近い位置に位置している。即ち、第１補強端子６１０は、第１対向部３２０の後端付近に位置している。
【００５２】
図４に示されるように、第１補強端子６１０は、前後方向において、スプリット線部２１０よりも主部２００の辺２０４に近い位置に位置している。第１補強端子６１０は、前後方向において第１端部２１２よりも、主部２００の辺２０４に近い位置に位置している。第１補強端子６１０は、前後方向において、第１給電端子４００よりも主部２００の辺２０４に近い位置に位置している。
【００５３】
図４に示されるように、本実施の形態の第１補強端子６１０は、第１接続部６１２と、第２接続部６１５とを有している。
【００５４】
図４に示されるように、本実施の形態の第１接続部６１２は、第１対向部３２０からその外側へ向かう外側方向であって前後方向と交差する外側方向へ延びている。より詳しくは、第１接続部６１２は、第１対向部３２０から、左右方向において左方に延びている。第１接続部６１２の端部６１３は、第１接続部６１２の左端である。
【００５５】
図６に示されるように、本実施の形態の第２接続部６１５は、アンテナ１００が対象物８００に搭載される際に対象物８００に固定される部位である。図３及び図４に示されるように、第２接続部６１５は、第１接続部６１２の端部６１３から外側方向及び前後方向の双方と交差する交差方向へ延びている。より詳しくは、第２接続部６１５は、上下方向において下方に延びている。図１に示されるように、第２接続部６１５は、上下方向における上端に第１補強端子曲げ部（曲げ部）６１６を有している。第２接続部６１５の第１補強端子曲げ部６１６は、第１接続部６１２の端部６１３と連結されている。
【００５６】
上述のように、第１補強端子６１０は、第１対向部３２０から下方に延びている。この構成により、アンテナ１００を対象物８００に搭載した状態で第１対向部３２０に対して上部から外力が加えられても、加えられた外力は第１補強端子６１０を介して対象物８００によって受け止められるため、第１対向部３２０の変形を効果的に抑制することができる。
【００５７】
図３に示されるように、本実施の形態の第２補強端子６２０は、第２対向部３４０から延びている。より詳しくは、第２補強端子６２０は、第２対向部３４０から右側に延びた後、屈曲して下側に延びている。第２補強端子６２０は、左右方向において第１補強端子６１０の右側に位置している。
【００５８】
図４に示されるように、第２補強端子６２０は、スプリット線部２１０から離れて位置している。より詳しくは、第２補強端子６２０は、前後方向において、スプリット線部２１０から離れて後方に位置している。第２補強端子６２０は、第２端部２１４から離れて位置している。より詳しくは、第２補強端子６２０は、前後方向において、第２端部２１４から離れて後方に位置している。
【００５９】
図４に示されるように、第２補強端子６２０は、前後方向において、スプリット線部２１０よりも第２対向部３４０の後端に近い位置に位置している。第２補強端子６２０は、前後方向において、第２端部２１４よりも第２対向部３４０の後端に近い位置に位置している。即ち、第２補強端子６２０は、第２対向部３４０の後端付近に位置している。
【００６０】
図４に示されるように、第２補強端子６２０は、前後方向において、スプリット線部２１０よりも主部２００の辺２０４に近い位置に位置している。第２補強端子６２０は、前後方向において、第２端部２１４よりも主部２００の辺２０４に近い位置に位置している。
【００６１】
図４に示されるように、本実施の形態の第２補強端子６２０は、第１接続部６２２と、第２接続部６２５とを有している。
【００６２】
図４に示されるように、本実施の形態の第１接続部６２２は、第２対向部３４０からその外側へ向かう外側方向であって前後方向と交差する外側方向へ延びている。より詳しくは、第１接続部６２２は、左右方向において右方に延びている。第１接続部６２２の端部６２３は、第１接続部６２２の右端である。
【００６３】
図３及び図６を参照して、本実施の形態の第２接続部６２５は、アンテナ１００が対象物８００に搭載される際に対象物８００に固定される部位である。図３に示されるように、第２接続部６２５は、第１接続部６２２の端部６２３から外側方向及び前後方向の双方と交差する交差方向へ延びている。より詳しくは、第２接続部６２５は、上下方向において下方に延びている。第２接続部６２５は、上下方向における上端に第２補強端子曲げ部（曲げ部）６２６を有している。第２接続部６２５の第２補強端子曲げ部６２６は、第１接続部６２２の端部６２３と連結されている。
【００６４】
上述のように、第２補強端子６２０は、第２対向部３４０から下方に延びている。この構成により、アンテナ１００を対象物８００に搭載した状態で第２対向部３４０に対して上部から外力が加えられても、加えられた外力は第２補強端子６２０を介して対象物８００によって受け止められるため、第２対向部３４０の変形を効果的に抑制することができる。
【００６５】
図２から図４までに示されるように、本実施の形態のアンテナ１００は、付加的端子７００を更に備えている。
【００６６】
図５に示されるように、本実施の形態の付加的端子７００は、アンテナ１００が対象物８００に搭載される際に対象物８００に固定される部位である。なお、この際、付加的端子７００は、対象物８００の給電線及びグランドプレーンのいずれにも接続されない。
【００６７】
図２に示されるように、付加的端子７００は、主部２００に設けられている。より詳しくは、付加的端子７００は、主部２００の四辺２０２，２０４，２０６，２０８のうち、スプリット線部２１０が設けられている特定の一辺２０２に設けられている。即ち、付加的端子７００は、主部２００の四辺２０２，２０４，２０６，２０８のうちの特定の一辺２０２から延びている。
【００６８】
図４に示されるように、付加的端子７００は、主部２００上において、第２給電端子５００と第２端部２１４との間に位置している。付加的端子７００は、主部２００上において、第２給電端子５００よりも第２端部２１４に近い位置に位置している。付加的端子７００は、対向部３００に関して、第１給電端子４００と反対側に位置している。付加的端子７００は、対向部３００に対して、第１給電端子４００と対称な位置に位置している。付加的端子７００は、仮想線Ｌに対して、第１給電端子４００と対称な位置に位置している。但し、本発明はこれに限られず、付加的端子７００は、第１給電端子４００と対称な位置に位置していなくてもよい。付加的端子７００は、第２端部２１４及び第２対向部３４０から離れた位置に設けられている。より詳しくは、付加的端子７００は、左右方向において、第２端部２１４及び第２対向部３４０から右側に離れて位置している。
【００６９】
図４に示されるように、付加的端子７００と第２対向部３４０との間の最短距離Ｄ３は、付加的端子７００と第２給電端子５００との間の最短距離Ｄ４より短くなっている。
【００７０】
図４に示されるように、付加的端子７００は、補強端子６００から離れて位置している。より詳しくは、付加的端子７００は、前後方向において、補強端子６００から離れて前方に位置している。付加的端子７００は、前後方向において、補強端子６００よりも対向部３００の後端から遠い位置に位置している。付加的端子７００は、前後方向において、第２補強端子６２０よりも第２対向部３４０の後端から遠い位置に位置している。付加的端子７００は、前後方向において、補強端子６００よりも主部２００の辺２０４から遠い位置に位置している。付加的端子７００は、前後方向において、第２補強端子６２０よりも主部２００の辺２０４から遠い位置に位置している。
【００７１】
図２及び図３に示されるように、付加的端子７００は、第１給電端子４００と同様に構成されている。詳しくは、付加的端子７００は、第１部７１０と、第２部７２０とを有している。
【００７２】
図２及び図３に示されるように、本実施の形態の第１部７１０は、主部２００からその内側へ向かう内側方向であって所定方向と交差する内側方向へ延びている。より詳しくは、第１部７１０は、主部２００から前後方向において後方に延びている。第１部７１０の端部７１２は、第１部７１０の後端である。
【００７３】
図５に示されるように、本実施の形態の第２部７２０は、アンテナ１００が対象物８００に搭載される際に対象物８００に固定される部位である。図３に示されるように、第２部７２０は、第１部７１０の端部７１２から内側方向及び所定方向の双方と交差する交差方向へ延びている。より詳しくは、第２部７２０は、上下方向において下方に延びている。第２部７２０は、上下方向における上端に付加的端子曲げ部（曲げ部）７２２を有している。図４に示されるように、第２部７２０の付加的端子曲げ部７２２は、前後方向において第１部７１０の端部７１２と連結されている。
【００７４】
（第２の実施の形態）
図１２に示されるように、本発明の第２の実施の形態によるアンテナ１００Ａは、対象物８００に搭載されるものである。本発明の第２の実施の形態によるアンテナ１００Ａは、上述した第１の実施の形態によるアンテナ１００（図１参照）と同様な構成を備えている。そのため、図８から図１４までに示される構成要素のうち、第１の実施の形態と同様の構成要素に対しては同一の参照符号を付すこととする。また、本実施の形態における方位及び方向は、第１の実施の形態のものと同じ表現を以下において使用する。
【００７５】
図９に示されるように、本実施の形態のアンテナ１００Ａは、複数の曲げ部２２２，３２４，３４４，４２２，５０２，６１６Ａ，６２６Ａ，７２２を有する一枚の金属板からなる、スプリットリング共振器構造を有している。より詳しくは、図１０に示されるように、本実施の形態のアンテナ１００Ａは、主部２００と、対向部３００Ａと、第１給電端子４００と、３つの第２給電端子５００と、２つの補強端子６００Ａとを有している。なお本発明はこれに限定されず、第２給電端子５００は少なくとも一つあればよい。また、補強端子６００Ａは少なくとも一つあればよい。ここで、対向部３００Ａ及び補強端子６００Ａ以外の構成要素については、第１の実施の形態のアンテナ１００と同様な構造を有している。従って、対向部３００Ａ及び補強端子６００Ａ以外の構成要素については、詳細な説明を省略する。
【００７６】
図９から理解されるように、本実施の形態の対向部３００Ａは、アンテナ１００Ａのキャパシタンス成分を構成する。上述のように、主部２００がアンテナ１００のインダクタンス成分を構成することから、対向部３００Ａと主部２００とはＬＣ共振回路を構成する。対向部３００Ａの後端は、主部２００と連結されていない。対向部３００Ａは、前後方向において主部２００の辺２０２と辺２０４との間に位置している。対向部３００Ａは、左右方向において主部２００の辺２０６と辺２０８との間に位置している。対向部３００Ａは、第１端部２１２に設けられた第１対向部３２０Ａと、第２端部２１４に設けられた第２対向部３４０Ａとを有している。
【００７７】
図９に示されるように、本実施の形態の第１対向部３２０Ａと、第２対向部３４０Ａとは、互いに離れて対向している。より詳しくは、第１対向部３２０Ａと、第２対向部３４０Ａとは左右方向において互いに離れて対向している。第１対向部３２０Ａと第２対向部３４０Ａとの間には、インターディジタルスロット３８０が形成されている。
【００７８】
図８及び図１０に示されるように、本実施の形態の第１対向部３２０Ａは、櫛歯形状を有している。第１対向部３２０Ａは、第１端部２１２から延びて主部２００の内側に位置している。より詳しくは、第１対向部３２０Ａは、第１端部２１２から前後方向における後方に延びて主部２００の内側に位置している。第１対向部３２０Ａの後端は、主部２００と連結されていない。第１対向部３２０Ａは、左右方向において第２対向部３４０Ａの左側に位置している。
【００７９】
図８及び図１０に示されるように、本実施の形態の第１対向部３２０Ａは、上側第１対向要素３２２と、下側第１対向要素３２３と、第１対向部曲げ部（曲げ部）３２４とで構成されている。
【００８０】
図９に示されるように、本実施の形態の上側第１対向要素３２２は、櫛歯形状を有している。上側第１対向要素３２２は、第１対向部曲げ部３２４から前後方向において後方に延びている。上側第１対向要素３２２の後端は、主部２００と連結されていない。図８に示されるように、上側第１対向要素３２２は、上下方向において下側第１対向要素３２３の上方に位置している。
【００８１】
図１１に示されるように、本実施の形態の下側第１対向要素３２３は、櫛歯形状を有している。下側第１対向要素３２３は、第１端部２１２から延びて主部２００の内側に位置している。より詳しくは、下側第１対向要素３２３は、第１端部２１２から前後方向における後方に延びて主部２００の内側に位置している。下側第１対向要素３２３の後端は、主部２００と連結されていない。
【００８２】
図８から図１１までから理解されるように、上側第１対向要素３２２と下側第１対向要素３２３とは、上下方向に沿ってアンテナ１００Ａを見た場合、互いに重なっている。より詳しくは、上側第１対向要素３２２と下側第１対向要素３２３とは、上下方向に沿ってアンテナ１００Ａを見た場合、互いに完全に重なっている。
【００８３】
図１３に示されるように、本実施の形態の第１対向部曲げ部３２４は、左右方向と直交する平面内において、横倒しのＵ字状の断面を有している。第１対向部曲げ部３２４の前端は、アンテナ１００Ａの前端である。図１０に示されるように、第１対向部曲げ部３２４は、上側第１対向要素３２２と第１端部２１２とを互いに連結している。図１１に示されるように、第１対向部曲げ部３２４は、前後方向において第１端部２１２に連結されている。図９に示されるように、第１対向部曲げ部３２４は、前後方向において上側第１対向要素３２２に連結されている。
【００８４】
図８及び図１０に示されるように、本実施の形態の第２対向部３４０Ａは、櫛歯形状を有している。第２対向部３４０Ａは、第２端部２１４から延びて主部２００の内側に位置している。より詳しくは、第２対向部３４０Ａは、第２端部２１４から前後方向における後方に延びて主部２００の内側に位置している。第２対向部３４０Ａの後端は、主部２００と連結されていない。第２対向部３４０Ａは、左右方向において第１対向部３２０Ａの右側に位置している。
【００８５】
図８及び図１０に示されるように、本実施の形態の第２対向部３４０Ａは、上側第２対向要素３４２と、下側第２対向要素３４３と、第２対向部曲げ部（曲げ部）３４４とで構成されている。
【００８６】
図９に示されるように、本実施の形態の上側第２対向要素３４２は、櫛歯形状を有している。上側第２対向要素３４２は、第２対向部曲げ部３４４から前後方向において後方に延びている。上側第２対向要素３４２の後端は、主部２００と連結されていない。図８及び図１０から理解されるように、上側第２対向要素３４２は、上下方向において下側第２対向要素３４３の上方に位置している。
【００８７】
図１１に示されるように、本実施の形態の下側第２対向要素３４３は、櫛歯形状を有している。下側第２対向要素３４３は、第２端部２１４から延びて主部２００の内側に位置している。より詳しくは、下側第２対向要素３４３は、第２端部２１４から前後方向における後方に延びて主部２００の内側に位置している。下側第２対向要素３４３の後端は、主部２００と連結されていない。
【００８８】
図８から図１１までから理解されるように、上側第２対向要素３４２と下側第２対向要素３４３とは、上下方向に沿ってアンテナ１００Ａを見た場合、互いに重なっている。より詳しくは、上側第２対向要素３４２と下側第２対向要素３４３とは、上下方向に沿ってアンテナ１００Ａを見た場合、互いに完全に重なっている。
【００８９】
図８及び図１０を参照すると、本実施の形態の第２対向部曲げ部３４４は、左右方向と直交する平面内において、横倒しのＵ字状の断面を有している。第２対向部曲げ部３４４の前端は、アンテナ１００Ａの前端である。図８及び図１０から理解されるように、第２対向部曲げ部３４４は、上側第２対向要素３４２と第２端部２１４とを互いに連結している。図１１に示されるように、第２対向部曲げ部３４４は、前後方向において第２端部２１４に連結されている。図９に示されるように、第２対向部曲げ部３４４は、前後方向において上側第２対向要素３４２に連結されている。
【００９０】
図９に示されるように、本実施の形態の上側第１対向要素３２２と、上側第２対向要素３４２とは、互いに離れて対向している。より詳しくは、上側第１対向要素３２２と、上側第２対向要素３４２とは左右方向において互いに離れて対向している。上側第１対向要素３２２と上側第２対向要素３４２との間には、インターディジタルスロット３８２が形成されている。
【００９１】
図１１に示されるように、本実施の形態の下側第１対向要素３２３と、下側第２対向要素３４３とは、互いに離れて対向している。より詳しくは、下側第１対向要素３２３と、下側第２対向要素３４３とは左右方向において互いに離れて対向している。下側第１対向要素３２３と下側第２対向要素３４３との間には、インターディジタルスロット３８４が形成されている。
【００９２】
上述のように、本実施の形態の対向部３００Ａは、上側第１対向要素３２２、上側第２対向要素３４２及びインターディジタルスロット３８２で構成される構造と、下側第１対向要素３２３、下側第２対向要素３４３及びインターディジタルスロット３８４で構成される構造の、二層構造を有している。これにより、上下方向に垂直な面内における対向部３００Ａの寸法を大きくすることなく、アンテナ１００Ａのキャパシタ容量を大きくすることができる。アンテナ１００Ａの共振周波数が一定という条件下において、キャパシタ容量を大きくすると、主部２００のインダクタンス成分を小さくすることができる。これは、アンテナ１００Ａの上下方向に垂直な面内における主部２００の寸法を小さくすることを意味する。換言すると、対象物８００上におけるアンテナ１００Ａの専有面積を縮小することができる。
【００９３】
図１４に示されるように、本実施の形態の補強端子６００Ａは、アンテナ１００Ａが対象物８００に搭載される際に対象物８００に固定される部位である。図８に示されるように、補強端子６００Ａは、対向部３００Ａから延びている。
【００９４】
図１１に示されるように、補強端子６００Ａは、スプリット線部２１０から離れて位置している。より詳しくは、補強端子６００Ａは、前後方向において、スプリット線部２１０から離れて後方に位置している。補強端子６００Ａは、第１端部２１２及び第２端部２１４の夫々から、離れて位置している。より詳しくは、補強端子６００Ａは、前後方向において、第１端部２１２及び第２端部２１４の夫々から、離れて後方に位置している。補強端子６００Ａは、第１給電端子４００から離れて位置している。より詳しくは、補強端子６００Ａは、前後方向において、第１給電端子４００から離れて後方に位置している。補強端子６００Ａは、付加的端子７００から離れて位置している。より詳しくは、補強端子６００Ａは、前後方向において、付加的端子７００から離れて後方に位置している。
【００９５】
図１１に示されるように、補強端子６００Ａは、前後方向において、スプリット線部２１０よりも対向部３００Ａの後端に近い位置に位置している。補強端子６００Ａは、前後方向において、第１端部２１２及び第２端部２１４のいずれよりも、対向部３００Ａの後端に近い位置に位置している。補強端子６００Ａは、前後方向において、第１給電端子４００よりも、対向部３００Ａの後端に近い位置に位置している。補強端子６００Ａは、前後方向において、付加的端子７００よりも、対向部３００Ａの後端に近い位置に位置している。即ち、補強端子６００Ａは、対向部３００Ａの後端付近に位置している。
【００９６】
図１１に示されるように、補強端子６００Ａは、前後方向において、スプリット線部２１０よりも、主部２００の辺２０４に近い位置に位置している。補強端子６００Ａは、前後方向において、第１端部２１２及び第２端部２１４のいずれよりも、主部２００の辺２０４に近い位置に位置している。補強端子６００Ａは、前後方向において、第１給電端子４００よりも、主部２００の辺２０４に近い位置に位置している。補強端子６００Ａは、前後方向において、付加的端子７００よりも、主部２００の辺２０４に近い位置に位置している。
【００９７】
図１０及び図１１に示されるように、本実施の形態の補強端子６００Ａは、第１補強端子６１０Ａと、第２補強端子６２０Ａとを含んでいる。
【００９８】
図１０及び図１１に示されるように、本実施の形態の第１補強端子６１０Ａは、第１対向部３２０Ａから延びている。より詳しくは、第１補強端子６１０Ａは、第１対向部３２０Ａから左側に延びた後、屈曲して下側に延びている。第１補強端子６１０Ａは、左右方向において第２補強端子６２０Ａの左側に位置している。
【００９９】
図１０及び図１１に示されるように、第１補強端子６１０Ａは、スプリット線部２１０から離れて位置している。より詳しくは、第１補強端子６１０Ａは、前後方向において、スプリット線部２１０から離れて後方に位置している。第１補強端子６１０Ａは、第１端部２１２から離れて位置している。より詳しくは、第１補強端子６１０Ａは、前後方向において、第１端部２１２から離れて後方に位置している。第１補強端子６１０Ａは、第１給電端子４００から離れて位置している。より詳しくは、第１補強端子６１０Ａは、前後方向において、第１給電端子４００から離れて後方に位置している。
【０１００】
図１１に示されるように、第１補強端子６１０Ａは、前後方向において、スプリット線部２１０よりも第１対向部３２０Ａの後端に近い位置に位置している。第１補強端子６１０Ａは、前後方向において、第１端部２１２よりも第１対向部３２０Ａの後端に近い位置に位置している。第１補強端子６１０Ａは、前後方向において、第１給電端子４００よりも、第１対向部３２０Ａの後端に近い位置に位置している。即ち、第１補強端子６１０Ａは、第１対向部３２０Ａの後端付近に位置している。
【０１０１】
図１１に示されるように、第１補強端子６１０Ａは、前後方向において、スプリット線部２１０よりも主部２００の辺２０４に近い位置に位置している。第１補強端子６１０Ａは、前後方向において、第１端部２１２よりも主部２００の辺２０４に近い位置に位置している。第１補強端子６１０Ａは、前後方向において、第１給電端子４００よりも、主部２００の辺２０４に近い位置に位置している。第１補強端子６１０Ａは、前後方向において、付加的端子７００よりも、主部２００の辺２０４に近い位置に位置している。
【０１０２】
図１１に示されるように、本実施の形態の第１補強端子６１０Ａは、上側第１対向要素３２２に直接連結されているが、下側第１対向要素３２３には直接連結されていない。即ち、第１補強端子６１０Ａは、上側第１対向要素３２２と下側第１対向要素３２３のうち上側に位置する上側第１対向要素３２２のみと連結されている。第１補強端子６１０Ａは、第１接続部６１２Ａと、第２接続部６１５Ａとを有している。
【０１０３】
図８に示されるように、本実施の形態の第１接続部６１２Ａは、第１対向部３２０Ａの上側第１対向要素３２２からその外側へ向かう外側方向であって前後方向と交差する外側方向へ延びている。より詳しくは、第１接続部６１２Ａは、第１対向部３２０Ａの上側第１対向要素３２２から左右方向において左方に延びている。第１接続部６１２Ａの端部６１３Ａは、第１接続部６１２Ａの左端である。
【０１０４】
図１４に示されるように、本実施の形態の第２接続部６１５Ａは、アンテナ１００Ａが対象物８００に搭載される際に対象物８００に固定される部位である。図１０に示されるように、第２接続部６１５Ａは、第１接続部６１２Ａの端部６１３Ａから外側方向及び前後方向の双方と交差する交差方向へ延びている。より詳しくは、図８に示されるように、第２接続部６１５Ａは、上下方向において下方に延びている。第２接続部６１５Ａは、上下方向における上端に第１補強端子曲げ部（曲げ部）６１６Ａを有している。第２接続部６１５Ａの第１補強端子曲げ部６１６Ａは、第１接続部６１２Ａの端部６１３Ａと連結されている。
【０１０５】
上述のように、第１補強端子６１０Ａは、上側第１対向要素３２２から下方に延びている。この構成により、アンテナ１００Ａを対象物８００に搭載した状態で上側第１対向要素３２２に対して上部から外力が加えられても、加えられた外力は第１補強端子６１０Ａを介して対象物８００によって受け止められるため、上側第１対向要素３２２の変形を効果的に抑制することができる。
【０１０６】
図１０及び図１１に示されるように、本実施の形態の第２補強端子６２０Ａは、第２対向部３４０Ａから延びている。より詳しくは、第２補強端子６２０Ａは、第２対向部３４０Ａから右側に延びた後、屈曲して下側に延びている。第２補強端子６２０Ａは、左右方向において第１補強端子６１０Ａの右側に位置している。
【０１０７】
図１１に示されるように、第２補強端子６２０Ａは、スプリット線部２１０から離れて位置している。より詳しくは、第２補強端子６２０Ａは、前後方向において、スプリット線部２１０から離れて後方に位置している。第２補強端子６２０Ａは、第２端部２１４から離れて位置している。より詳しくは、第２補強端子６２０Ａは、前後方向において、第２端部２１４から離れて後方に位置している。第２補強端子６２０Ａは、付加的端子７００から離れて位置している。より詳しくは、第２補強端子６２０Ａは、前後方向において、付加的端子７００から離れて後方に位置している。
【０１０８】
図１１に示されるように、第２補強端子６２０Ａは、前後方向において、スプリット線部２１０よりも第２対向部３４０Ａの後端に近い位置に位置している。第２補強端子６２０Ａは、前後方向において、第２端部２１４よりも第２対向部３４０Ａの後端に近い位置に位置している。第２補強端子６２０Ａは、前後方向において、付加的端子７００よりも、第２対向部３４０Ａの後端に近い位置に位置している。即ち、第２補強端子６２０Ａは、第２対向部３４０Ａの後端付近に位置している。
【０１０９】
図１１に示されるように、第２補強端子６２０Ａは、前後方向において、スプリット線部２１０よりも主部２００の辺２０４に近い位置に位置している。第２補強端子６２０Ａは、前後方向において、第２端部２１４よりも主部２００の辺２０４に近い位置に位置している。第２補強端子６２０Ａは、前後方向において、付加的端子７００よりも主部２００の辺２０４に近い位置に位置している。
【０１１０】
図１１に示されるように、本実施の形態の第２補強端子６２０Ａは、上側第２対向要素３４２に直接連結されているが、下側第２対向要素３４３には直接連結されていない。即ち、第２補強端子６２０Ａは、上側第２対向要素３４２と下側第２対向要素３４３のうち上側に位置する上側第２対向要素３４２のみと連結されている。第２補強端子６２０Ａは、第１接続部６２２Ａと、第２接続部６２５Ａとを有している。
【０１１１】
図９に示されるように、本実施の形態の第１接続部６２２Ａは、第２対向部３４０Ａの上側第２対向要素３４２からその外側へ向かう外側方向であって前後方向と交差する外側方向へ延びている。より詳しくは、第１接続部６２２Ａは、第２対向部３４０Ａの上側第２対向要素３４２から左右方向において右方に延びている。第１接続部６２２Ａの端部６２３Ａは、第１接続部６２２Ａの右端である。
【０１１２】
図１４に示されるように、第２接続部６２５Ａは、アンテナ１００Ａが対象物８００に搭載される際に対象物８００に固定される部位である。図１０及び図１１から理解されるように、第２接続部６２５Ａは、第１接続部６２２Ａの端部６２３Ａから外側方向及び前後方向の双方と交差する交差方向へ延びている。より詳しくは、第２接続部６２５Ａは、上下方向において下方に延びている。図９に示されるように、第２接続部６２５Ａは、上下方向における上端に第２補強端子曲げ部（曲げ部）６２６Ａを有している。第２接続部６２５Ａの第２補強端子曲げ部６２６Ａは、第１接続部６２２Ａの端部６２３Ａと連結されている。
【０１１３】
上述のように、第２補強端子６２０Ａは、上側第２対向要素３４２から下方に延びている。この構成により、アンテナ１００Ａを対象物８００に搭載した状態で上側第２対向要素３４２に対して上部から外力が加えられても、加えられた外力は第２補強端子６２０Ａを介して対象物８００によって受け止められるため、上側第２対向要素３４２の変形を効果的に抑制することができる。
【０１１４】
以上、本発明について、実施の形態を掲げて具体的に説明してきたが、本発明はこれに限定されるわけではなく、種々の変形が可能である。
【０１１５】
上述の実施の形態のアンテナ１００，１００Ａの付加的端子７００は、第１給電端子４００と同様に構成されていたが、本発明はこれに限定されない。即ち、付加的端子７００は、第１給電端子４００と異なる形状及び寸法を有していてもよい。付加的端子７００の位置、形状及び寸法のいずれか一つ以上を変更することにより、アンテナ１００，１００Ａの共振周波数を変更することができる。しかしながら、第１給電端子４００と付加的端子７００とが同一形状及び同一寸法を有し、対称の位置に配置される方が、そうでない場合に比べて、設計が容易であるため、好ましい。
【０１１６】
上述の第２の実施の形態のアンテナ１００Ａの対向部３００Ａは、二層構造を有していたが、本発明はこれに限定されない。即ち、対向部３００Ａは、三層以上の構造を有していてもよい。また、上述の第２の実施の形態では、上下方向において、上側第１対向要素３２２及び上側第２対向要素３４２が、下側第１対向要素３２３及び下側第２対向要素３４３の上方に夫々位置していたが、上側第１対向要素３２２及び上側第２対向要素３４２は、下側第１対向要素３２３及び下側第２対向要素３４３の下方に夫々位置していてもよい。
【符号の説明】
【０１１７】
１００，１００Ａ        アンテナ
２００                  主部
２０２                  辺
２０４                  辺
２０６                  辺
２０８                  辺
２１０                  スプリット線部
２１２                  第１端部
２１４                  第２端部
２１６                  切れ目
２２０                  被固定部
２２２                  曲げ部
３００，３００Ａ        対向部
３２０，３２０Ａ        第１対向部
３２２                  上側第１対向要素
３２３                  下側第１対向要素
３２４                  第１対向部曲げ部（曲げ部）
３４０，３４０Ａ        第２対向部
３４２                  上側第２対向要素
３４３                  下側第２対向要素
３４４                  第２対向部曲げ部（曲げ部）
３６０                  インターディジタルスロット
３８０                  インターディジタルスロット
３８２                  インターディジタルスロット
３８４                  インターディジタルスロット
４００                  第１給電端子
４１０                  第１部
４１２                  端部
４２０                  第２部
４２２                  第１給電端子曲げ部（曲げ部）
５００                  第２給電端子
５０２                  曲げ部
６００，６００Ａ        補強端子
６１０，６１０Ａ        第１補強端子
６１２，６１２Ａ        第１接続部
６１３，６１３Ａ        端部
６１５，６１５Ａ        第２接続部
６１６，６１６Ａ        第１補強端子曲げ部（曲げ部）
６２０，６２０Ａ        第２補強端子
６２２，６２２Ａ        第１接続部
６２３，６２３Ａ        端部
６２５，６２５Ａ        第２接続部
６２６，６２６Ａ        第２補強端子曲げ部（曲げ部）
７００                  付加的端子
７１０                  第１部
７１２                  端部
７２０                  第２部
７２２                  付加的端子曲げ部（曲げ部）
８００                  回路基板（対象物）
Ｄ１                    最短距離
Ｄ２                    最短距離
Ｄ３                    最短距離
Ｄ４                    最短距離
Ｌ                      仮想線
【図１】
2020145542.tif 000003
【図２】
2020145542.tif 000004
【図３】
2020145542.tif 000005
【図４】
2020145542.tif 000006
【図５】
2020145542.tif 000007
【図６】
2020145542.tif 000008
【図７】
2020145542.tif 000009
【図８】
2020145542.tif 000010
【図９】
2020145542.tif 000011
【図１０】
2020145542.tif 000012
【図１１】
2020145542.tif 000013
【図１２】
2020145542.tif 000014
【図１３】
2020145542.tif 000015
【図１４】
2020145542.tif 000016
【図１５】
2020145542.tif 000017
【図１６】
2020145542.tif 000018